【手続補正書】
【提出日】平成16年7月30日(2004.7.30)
【手続補正１】
【補正対象書類名】特許請求の範囲
【補正対象項目名】全文
【補正方法】変更
【補正の内容】
【特許請求の範囲】
【請求項１】
第一型の感知方法を使用してユーザインタラクションを感知するための第一のセンサ群と、第二型の感知方法を使用してユーザインタラクションを感知するための第二のセンサ群とを備え、前記第一および第二のセンサ群が感知面上の同一位置に配置されて成る、デジタルシステムへのユーザ入力のための装置。
【請求項２】
前記第一および前記第二感知方法は同時に感知するように動作可能である請求項１に記載の装置。
【請求項３】
前記感知面はディスプレイスクリーン上に重ね合わせる請求項１に記載の装置。
【請求項４】
前記感知面は前記ディスプレイスクリーンの一部の上に重ね合わせる請求項３に記載の装置。
【請求項５】
前記第一感知方法は前記ディスプレイスクリーンの一部の上に実現され、前記第二感知方法は前記ディスプレイスクリーンの実質的に全体の上に実現される請求項３に記載の装置。
【請求項６】
前記感知方法の各々を、前記ディスプレイスクリーンのそれぞれ独立に画定される部分上に実現される請求項３に記載の装置。
【請求項７】
前記第一感知方法は電磁ベースの感知方法である請求項１に記載の装置。
【請求項８】
前記第二感知方法は接触圧感知方法である請求項７に記載の装置。
【請求項９】
前記ディスプレイスクリーンはフラットパネルスクリーンである請求項３に記載の装置。
【請求項１０】
前記感知方法の少なくとも一つが、それぞれのセンサとの多重同時インタラクションを読み取るためのセンサ読取り動作可能性を備える請求項１に記載の装置。
【請求項１１】
装置は、コンピューティングシステムに付属物として取り付けることができるように、接続性インタフェースをさらに備える請求項１に記載の装置。
【請求項１２】
前記付属物は電子パッド型面である請求項１１に記載の装置。
【請求項１３】
前記同一位置に配置されるセンサ群は、フォイルベースの感知配列体として構成される請求項１に記載の装置。
【請求項１４】
前記フォイルベースの感知配列体は少なくとも一つの透明フォイルを含む請求項１３に記載の装置。
【請求項１５】
前記センサの少なくともいくつかは有機導電性材料を含む請求項１４に記載の装置。
【請求項１６】
前記透明フォイルはパターン形成された透明フォイルである請求項１４に記載の装置。
【請求項１７】
前記パターンは前記フォイルにエッチングされ、それによって前記センサを形成する請求項１６に記載の装置。
【請求項１８】
前記パターンは前記フォイルに印刷され、それによって前記センサを形成する請求項１６に記載の装置。
【請求項１９】
前記パターンはパッシベーションによって導入する請求項１６に記載の装置。
【請求項２０】
前記フォイルベースの感知配列体は少なくとも二つの重ね合わされた透明フォイルを含む請求項１３に記載の装置。
【請求項２１】
前記第一のセンサ群は、前記少なくとも二つの重ね合わされた透明フォイルの各々に埋め込む請求項２０に記載の装置。
【請求項２２】
前記第二のセンサ群は、前記少なくとも二つの重ね合わされた透明フォイルの各々に埋め込む請求項２０に記載の装置。
【請求項２３】
前記第二のセンサ群は、前記少なくとも二つの重ね合わされた透明フォイルの各々に埋め込む請求項２１に記載の装置。
【請求項２４】
前記第一および前記第二のセンサ群はそれぞれ、前記フォイルベースの感知配列体にインタリーブする請求項１３に記載の装置。
【請求項２５】
前記第一および前記第二のセンサ群はそれぞれ、前記少なくとも二つの重ね合わされた透明フォイルのうちの前記第一フォイルにインタリーブする請求項２３に記載の装置。
【請求項２６】
前記第一および前記第二感知方法は、それぞれのセンサをスキャンするための異なるレポートレートをそれぞれ有する請求項１に記載の装置。
【請求項２７】
前記それぞれ異なるレポートレートは、前記第一および第二ユーザインタラクション型のうちのそれぞれの型との互換性が得られるように選択する請求項２６に記載の装置。
【請求項２８】
前記第一及び前記第二感知方法はそれぞれ異なる感知分解能レベルを持つ請求項１に記載の装置。
【請求項２９】
前記それぞれ異なる感知分解能レベルは、前記第一および第二ユーザインタラクション型のうちのそれぞれの型との互換性が得られるように選択する請求項２８に記載の装置。
【請求項３０】
前記第一感知方法は電磁ベースの感知方法であり、前記それぞれのユーザインタラクションがスタイラス操作であり、前記それぞれの分解能レベルはそれぞれの用途との互換性が得られるように選択する請求項２９に記載の装置。
【請求項３１】
前記第二感知方法は圧力ベースの感知方法であり、前記それぞれのユーザインタラクションが接触であり、前記それぞれの分解能レベルは指先サイズに対して選択する請求項２９に記載の装置。
【請求項３２】
前記感知方法のうちの一つはフォイルベースの感知配列体を含み、前記フォイルベースの感知配列体は二つの重ね合わされた透明フォイルを含み、感圧センサの第一平行配列体は前記フォイルのうちの第一フォイル上に配置され、前記第一平行配列体に直交する感圧センサの第二平行配列体は、相応して前記フォイルのうちの第二フォイル上に配置される請求項３１に記載の装置。
【請求項３３】
前記重ね合わされたフォイルは、圧力が加えられたときに一緒に押圧されるように、可撓性スペーサによって間隔配置される請求項３２に記載の装置。
【請求項３４】
前記可撓性スペーサは空隙を持つ実質的に非導電性の材料のマトリックスを含み、前記空隙は、任意の接点に圧力が加えられたときに対応するセンサが接触するように、感圧センサの前記第一および第二並行配列体の間の接点に対応して配置される請求項３３に記載の装置。
【請求項３５】
前記実質的に非導電性の材料は、前記第一のセンサ群の間を分離するように配置する請求項３４に記載の装置。
【請求項３６】
前記可撓性スペーサはスペーサドットを含み、前記スペーサドットは前記第一のセンサ群の周りに集中する請求項３３に記載の装置。
【請求項３７】
前記可撓性スペーサは前記フォイルの少なくとも一つに印刷する請求項３３に記載の装置。
【請求項３８】
各センサ群は前記フォイルベースの感知配列体内に配置され、各センサ群は実質的に格子状に配列する請求項１３に記載の装置。
【請求項３９】
各感知方法は検知座標を画定するように並べられたセンサの配列を有し、前記感知方法の少なくとも一つが、多段階スキャンニング動作で前記検知座標をスキャンし、それによって複数の位置にホームインするためのスキャンニング制御機能性を備える請求項１に記載の装置。
【請求項４０】
前記配列体が格子であり、前記座標がデカルト座標である請求項３９に記載の装置。
【請求項４１】
前記多段階スキャンニング動作は、前記格子の各軸に沿って一群のセンサをスキャンする第一段階、および前記第一段階で示された座標にホームインする第二段階を含む請求項４０に記載の装置。
【請求項４２】
前記第一段階は、第一軸の各群の全てのセンサに感知信号を与え、前記第二軸の各センサを読み取り、次いで前記第二軸の各群の全てのセンサに感知信号を与え、かつ前記第一軸の各センサを読み取ることを含む請求項４１に記載の装置。
【請求項４３】
前記スキャンニング制御機能性は、曖昧さが存在するかどうかを決定し、曖昧さが存在する場合には、疑わしいセンサは信号を発生させるセンサと定義するように動作可能である請求項４２に記載の装置。
【請求項４４】
前記スキャンニング制御機能性はさらに、前記軸のうちの第一の軸における各疑わしいセンサを一度に一つづつ選択し、それに感知信号を与え、かつ前記軸のうちの第二の軸における各疑わしいセンサを読み取るように、動作可能である請求項４３に記載の装置。
【請求項４５】
少なくとも二つの圧力位置を検知するための感圧装置であって、
検知座標を画定するように並べられた圧力センサの配列体と、
多段階スキャンニング動作で前記検知座標をスキャンし、それによって前記少なくとも二つの圧力位置にホームインするためのスキャンニング制御機能性と
を備えた装置。
【請求項４６】
ビジュアルディスプレイスクリーン上に重ね合わせるためのセンサ配列体であって、
第一型のユーザインタラクションを検知するための第一検知システムのセンサおよび第二型のユーザインタラクションを検知するための第二検知システムのセンサが埋め込まれた第一透明フォイルと、
前記第一透明フォイル上に重ね合わされ、それから可撓式に離れて配置された第二透明フォイルであって、埋め込まれた前記第一検知システムおよび前記第二検知システムのセンサをさらに有する第二透明フォイルと、
を備えたセンサ配列体。
【請求項４７】
ビジュアルディスプレイスクリーン上に重ね合わせるための感圧配列体であって、
第一組の平行な圧力センサを有する第一透明フォイルと、
前記第一透明フォイル上に重ね合わされ、第二組の平行な圧力センサを有する第二透明フォイルであって、前記第一および第二組の透明フォイルがそれぞれ直交するように配向された第二透明フォイルと、
前記第一透明フォイルと前記第二透明フォイルとの間に配置されて前記フォイル間を分離する実質的に非導電性のスペーサであって、前記スペーサが圧力が加えられた位置付近でそれぞれのフォイル上の圧力センサ間の接触が可能となるように可撓性であり、それによって接触した圧力センサ間で信号が転送されるように構成されたスペーサと、
前記圧力センサによって画定される格子上の各接点に関する曖昧な圧力情報を提供するような仕方で、前記センサに信号を与え、かつ出力を読み出すようにスキャンニング動作を制御するためのスキャンニング制御装置と、
を備えた感圧配列体。
【請求項４８】
前記スキャンニング動作は、各フォイル上のセンサ群をスキャンする第一段階、および前記第一段階で示された接点にホームインし、それによって複数位置の圧力の同時印加を検知する第二段階の二段階で構成される請求項４７に記載の配列体。
【請求項４９】
各スキャンニング動作は、各接点の個別試験を含む網羅的なスキャンニング動作である請求項４７に記載の配列体。
【請求項５０】
前記第一段階は、前記フォイルのうちの一方のフォイル上の各センサに信号を出力し、前記フォイルのうちの他方のフォイル上の各センサで検知し、次いで前記他方のフォイル上の各センサに信号を出力し、前記フォイルのうちの前記一方のフォイル上の各センサで検知することを含む請求項４８に記載の配列体。
【請求項５１】
前記第二段階は、前記第一段階で示された前記フォイルのうちの一方のフォイル上の各センサに信号を出力し、前記フォイルのうちの他方のフォイル上の前記第一段階で示された各センサで検知することを含む請求項５０に記載の配列体。
【請求項５２】
前記スキャンニング制御装置が、圧力印加パターンの最速の起こり得る変化の実質的に二倍の頻度で前記二段階の各々を実行するように動作可能である請求項４８に記載の配列体。
【請求項５３】
格子状に配列された複数の圧力感応点を感知して、複数の前記点における圧力の同時印加を検知するための方法であって、前記格子の前記圧力点の各々について曖昧な圧力検出結果が得られるように前記格子を試験することを含む方法。
【請求項５４】
前記試験は、
前記格子の一軸上の複数のセンサの各々に信号を出力することと、
前記格子の第二軸上の複数のセンサの各々で検知することと、
前記格子の前記第二軸上の前記複数のセンサの各々に信号を出力することと、
前記格子の前記第一軸上の前記複数のセンサの各々で検知することと、
前記検知から、曖昧さの源と考えられるセンサを推定することと、
前記曖昧さを解決するためにさらなる出力および検知を実行することと、
を含む請求項５３に記載の方法。
【請求項５５】
前記出力のさらなる実行は、前記軸のうちの一方を選択し、かつその上にある前記可能な曖昧さの源の各々に信号を出力することを含み、前記検知が、各々の前記出力に対し、前記軸のうちの他方の軸上にある前記考えられる曖昧さの源の各々で検知することを含む請求項５４に記載の方法。
【請求項５６】
前記試験は、個別に前記圧力点の各々の網羅的試験を含む請求項５３に記載の方法。